(57)【要約】  本発明は、略垂直を向き、下方に向かって開いた管（１）であって、管（１）の上部に設けられた動物用飼料のための少なくとも１つの充填用開口部（２）を有する管（１）を備える、動物用飼料給餌器、特に馬用の動物用飼料給餌器に関する。管（１）の長手方向軸に直交して内部を通って突出する少なくとも２本の弾性ケーブル（３）が互いに上下に配置され、空きスペース（４）が、各ケーブル（３）の上方に残ってそれぞれ動物用飼料の個別の部分単位のみの受け入れを可能にし、各ケーブル（３）が、それぞれの弾性ケーブル（３）に略垂直に、管壁の開口部（６）を介して外側に案内される関連する引くための要素（５）の一端に接続され、咥えるための要素（７）が、引くための要素（５）の、管（１）の外側に配置された端部に固定される。
2021529553.tif 000002
【特許請求の範囲】
【請求項１】
略垂直を向き、底部に向かって開いた管（１）であって、前記管（１）の上部セクションに設けられた動物用飼料のための少なくとも１つの充填用開口部（２）を有するものを備える、動物用飼料給餌器、特に馬用の動物用飼料給餌器において、
前記管（１）の長手方向軸に直交して前記管（１）の内部を通って突出する少なくとも２本の弾性ケーブル（３）が、互いに上下に配置され、空きスペース（４）が、各ケーブル（３）の上方に残って前記動物用飼料の１つの個別の単位部分のみの受け入れを可能にし、各ケーブル（３）が、前記それぞれの弾性ケーブル（３）に略垂直に、管壁の開口部（６）を介して外側に延びる関連する引くための要素（５）の一端に接続され、咥えるための要素（７）が、前記引くための要素（５）の、前記管（１）の外側に配置された端部に固定されることを特徴とする、
動物用飼料給餌器。
【請求項２】
前記引くための要素（５）のための前記開口部（６）の直径が、前記弾性ケーブル（３）の直径よりも小さいことを特徴とする、
請求項１に記載の動物用飼料給餌器。
【請求項３】
前記弾性ケーブル（３）のそれぞれの上方にあるそれぞれの前記空きスペース（４）における充填レベルの検出を可能にする観察用開口部（８）が前記管壁に設けられることを特徴とする、
請求項１または２に記載の動物用飼料給餌器。
【請求項４】
前記長手方向に延びるフレキシブルホース（９）が前記管（１）内に配置されることと、各弾性ケーブル（３）の隣に平行に隣接要素（１０）が配置され、前記フレキシブルホース（９）が、前記弾性ケーブル（３）と前記それぞれの隣接要素（１０）との間に延び、初期位置では前記弾性ケーブル（３）と前記それぞれの隣接要素（１０）との間で締め付けられることとを特徴とする、
請求項１から３のいずれか一項に記載の動物用飼料給餌器。
【請求項５】
飼料供給のための拡張された受け入れスペース（１１）が前記フレキシブルホース（９）の上端に接続されることを特徴とする、
請求項４に記載の動物用飼料給餌器。
【請求項６】
前記隣接要素（１０）が硬質なボルトまたは弾性ケーブルによって形成されることを特徴とする、
請求項４または５に記載の動物用飼料給餌器。
【請求項７】
食品に使用しても安全な弾性材料から構成された減衰要素が各引くための要素（５）に割り当てられ、前記減衰要素が、無負荷の初期位置では、前記引くための要素（５）の領域において前記咥えるための要素（７）と前記管（１）の外壁との間に配置されることを特徴とする、
請求項１から６のいずれか一項に記載の動物用飼料給餌器。
【発明の詳細な説明】
【技術分野】
【０００１】
本発明は、略垂直を向き、底部に向かって開いた管であって、管の上部セクションに設けられていた動物用飼料のための少なくとも１つの充填用開口部を有する管を備える動物用飼料給餌器、特に馬用の動物用飼料給餌器に関する。
【背景技術】
【０００２】
飼料を出すことと組み合わされた、動物の退屈しのぎのためのアイテムが多くの実施形態で知られている。小動物用のこれらのデバイスの多くは、主に特定の訓練効果を念頭に置いてもっぱら設計されているが、馬用のデバイスでは、馬が馬房で過ごす比較的長い時間をより我慢しやすい時間にすることが主に重要である。馬房内で比較的長い時間を過ごすとき、馬は、例えば、熊癖、飼い桶かじりなど、退屈によって引き起こされる異常な行動をするようになる傾向がある。この行動を防ぐために、自ら退屈しのぎをするための手段を馬に提供する一連のデバイスが開発されている。
【０００３】
例えば、特許文献１（米国特許出願公開第２０１１／００５４６９号明細書）は、馬房に吊すことができ、小さな餌アイテムを配置できるいくつかの窪みを周囲表面に有する円筒形の装置を記載している。生じる問題は、配置されたすべての餌またはおやつアイテムに一度に馬がアクセスでき、そのために馬が個々の餌アイテムを摂取する速さを制御できないことである。提供される餌アイテム、例えばリンゴまたはさらにはペレット状の濃厚飼料や穀類はおやつであるため、馬のモチベーションを高める。しかしながら、同時に、人間のほとんどの場合と同様に、これらのおやつは適度である場合に限り健康的であるため、一度に大量に摂取されるべきではない。特に濃厚飼料の場合、重要なのは量そのものではなく、馬が濃厚飼料をできるだけゆっくりと摂取することが主に望ましいということである。このようにすることでのみ、十分な唾液分泌および消化が確保でき、それにより疝痛を予防できる。しかしながら、上記文献にある装置のように、装置に追加のデバイスがない場合、馬の飼い主がいない場合に飼料またはおやつの給餌を制御する選択肢はない。
【０００４】
このタイプのさらなる装置が、例えば、特許文献２（独国実用新案第２０２００７００２０６７号明細書）に開示されている。この場合には、底部で閉じられ、横方向の穴が設けられた管が、壁に枢動可能に取り付けられる。管は馬がぶつかると揺れることができ、そうするとバラ飼料が横方向の穴から落ちることができる。すべての飼料に一度にアクセスできるわけではないが、この装置はバラ飼料にのみ適している。とても単純な設計であるため、馬は管にぶつかるだけで十分であり、すべての個々の行動が即座に報われるため、馬にとっての遊びの効果も低い。
【０００５】
犬を訓練するために特に開発された装置が、例えば、特許文献３（独国実用新案第２０２００８０１１７４２号明細書）に開示されている。これは、餌を送達するための開口部を下部周辺領域に有する中空管の形態をしたプレイタワーである。複数の別個のステージが管内に挿入され、ステージでは外側のストラップを介して犬が引き抜くことができる。内側に配置された個々の餌アイテムは順番に送達され得る、または、１つの餌アイテムだけが一番上に挿入された場合、その餌は動物が複数回行動した後にのみ放出され得る。この設計の欠点は、いくつかの餌アイテムが挿入された場合に、いくつかの餌アイテムは、動物が正しい順番でステージを引き出したときにのみ順番に送達されることである。しかしながら、例えば上方のステージが最初に取り除かれ、最も下のステージが最後に取り除かれると、すべての餌アイテムが同時に送達開口部から出ることになり、これもまた、動物が一度に摂取する餌アイテムが多すぎるという望ましくない影響をもたらす。
【発明の概要】
【発明が解決しようとする課題】
【０００６】
本発明の目的は、上記の欠点を取り除く動物用飼料給餌器を提供することである。固形飼料またはさらにはバラ飼料のいくつかの単位部分が装置に貯蔵され、それぞれが計量されて個別に給餌され得ることが許容されるべきである。飼料は、動物が給餌器で遊んで退屈しのぎをした後に送達されるが、すべての個々の行動によって飼料が送達されるわけではなく、それにより、一方では動物が関心を保ち、他方では単位部分がより長い期間にわたって送達される。
【課題を解決するための手段】
【０００７】
上記の目的は、管の長手方向軸に直交して管の内部を通って突出する少なくとも２本の弾性ケーブルが互いに上下に配置され、空きスペースが各ケーブルの上方に残って動物用飼料の１つの個別の単位部分のみの受け入れを可能にし、各ケーブルが、それぞれの弾性ケーブルに略垂直に、管壁の開口部を介して外側に延びる関連する引くための要素の一端に接続され、咥えるための要素が、引くための要素の、管の外側に配置された端部に固定されるという事実によって、本発明によって達成される。固形飼料の場合、単位部分は、例えば１つのリンゴとすることができる。よって、飼料給餌器の最小の設計では、単位部分は、充填された場合に、それぞれ設けられた空きスペースに２つのリンゴを収容し、それぞれが弾性ケーブルによって留め置かれる。しかしながら、実際には、動物用飼料給餌器は、より大きくなるようにサイズ決めされ、いくつかの弾性ケーブルおよびその上に構成される空きスペースを、例えば４、５、６、または７つ収容する。弾性ケーブルによって設けられる区分が多いほど、動物はより長くデバイスで退屈しのぎをすることができ、より上の区分から単位部分をから解放することがますます困難になるため、飼料の送達は動物の行動の数に比例して増加しない。咥えるための要素を動物が引っ張ると、弾性ケーブルが引くための要素によって横に動かされ、それにより、ケーブルの上方に配置された単位部分が落下できるのに十分な断面が管内に露出する。しかしながら、このことは、単位部分が最も下にある単位部分であるか、それぞれのケーブルの下方にある空きスペースが空いている場合にのみ発生する。そこに既に単位部分がある場合、次の単位部分は十分に滑り落ちることができず、引くためのユニットが解放されたときに元の空きスペースに弾性ケーブルによって保持され続ける。
【０００８】
引くための要素のための開口部の直径が弾性ケーブルの直径よりも小さいことは、さらなる有利な特徴である。その結果、引くための要素を動物が非常に強く引っ張っても、弾性ケーブルが開口部内に引っ張られて、そこに捉えられたりそこで損傷したりすることはあり得ない。これにより、装置の機能的信頼性が向上する。
【０００９】
さらなる有利な特徴によれば、弾性ケーブルのそれぞれの上方におけるそれぞれの空きスペースにおける充填レベルの検出を可能にする観察用開口部が管壁に設けられることが提供される。これにより、動物の飼育者が、どの空きスペースにまだ飼料部分が含まれているかを簡単に確認できるため、補充が容易になる。いくつかの小さな開口部もしくは窓のいずれかを管壁に設けることもできる、またはさらには例えば、弾性ケーブルの上方のすべての空きスペースを見ることができる細長いスロットを管壁に設けることもできる。
【００１０】
本発明の代替的な実施形態によれば、長手方向に延びるフレキシブルホースが管内に配置され、各弾性ケーブルの隣に平行に隣接要素が配置され、フレキシブルホースが弾性ケーブルとそれぞれの隣接要素との間に延び、初期位置では弾性ケーブルとそれぞれの隣接要素との間で締め付けられることが提供される。本実施形態によって、例えば、飼料給餌器を使用して比較的長期間にわたって部分に濃厚飼料混合物、穀類などのバラ飼料を供給することも可能である。バラ飼料の単位部分は、それぞれの締め付けられたセクションの上方にある空きスペースにあるホースセクションに集まり得る。動物に関する動作モードは同じままである。咥えるための要素を動物が引っ張り、その結果、弾性ケーブルが隣接要素から引き離されることにより、締め付けられたホースセクションが解放され、飼料が滑り落ちることができる。また、この場合、下方に配置されたホースセクションにまだ完全に飼料を充填されていない場合、または下方に配置されたホースセクションが、飼料を動物に送達する最も下にある部分である場合にのみ、飼料はさらに滑り落ちることができる。一般に、少量の単位部分のみが常に放出され、その後、その下方に配置されたホースセクションに入るか、動物に給餌され得る。
【００１１】
飼料供給のための拡張された受け入れスペースがフレキシブルホースの上端に接続されることはさらに有利な特徴である。装置のサイズに応じて、対応する供給容器を上部に設けることができる。最も単純な場合では、受け入れスペースは、管の内部に固定されるフレキシブルホースの最も上部にある拡張されたセクションである。しかしながら、漏斗の形状で先細りする貯蔵容器がホースに接続されて、それが次に飼料供給のための対応する受け入れスペースを形成してもよい。
【００１２】
隣接要素が硬質なボルトまたは弾性ケーブルによって形成されることは、さらなる有利な特徴である。これらの変形形態は、簡素で費用効果の高い方法で飼料給餌器を製造することに関して有利であることが判明している。
【００１３】
最後に、食品に使用しても安全な弾性材料から構成された減衰要素が各引くための要素に割り当てられ、減衰要素が、無負荷の初期位置では、引くための要素の領域において咥えるための要素と管の外壁との間に配置されることは、さらなる有利な特徴である。咥えるための要素が引っ張られてから解放されると、咥えるための要素は管内の弾性ケーブルによって管の外壁に跳ね返る。これによりノイズが発生し、管壁や咥えるための要素でのより急速な摩耗につながり得る。減衰要素は、ノイズおよび摩耗を最小化するショックアブソーバとして使用される。１つの可能な設計では、減衰要素は、例えば、引くための要素を取り囲み、それにより初期位置において咥えるための要素と管との間でスペーサとして使用される一片の弾性ホースとすることができる。
以下、例示された実施形態および添付の図面を参照しながら、本発明をより詳細に説明する。
【図面の簡単な説明】
【００１４】
【図１】図１は、本発明の第１の実施形態の概略縦断面図を示している。
【図２】図２は、初期位置における図１の実施形態の概略断面図を示している。
【図３】図３は、作動された引くための要素を備えた図１の実施形態の概略断面図を示している。
【図４】図４は、本発明の第２の実施形態の概略縦断面図を示している。
【図５】図５は、初期位置における図４の実施形態による概略断面図を示している。
【図６】図６は、作動された引くための要素を備えた図４の実施形態の概略断面図を示している。
【発明を実施するための形態】
【００１５】
図１は、例えばリンゴを送達するために設けられた、本発明による飼料給餌器の第１の実施形態を概略的に示している。飼料給餌器は、底部に向かって開いた細長い管１を備える。管は、動物にとって安全な木材または別の固体材料から製造され得る。あるいは、飼料給餌器の外側部分またはその少なくともセクションはまた、例えばなめるための物質など、食用の材料から製造され得る。充填用開口部２は上端に配置される。管１は、馬房に垂直に、例えば咥えるための要素７が馬に面するようにストラップで格子棒に固定される。
【００１６】
図示の例示された実施形態では、装置は、４つのリンゴを受け入れることができる装置である。装置に充填するために、１つのリンゴが充填用開口部２内に押し込まれ、次に、弾性ケーブル３を横に引っ張ってリンゴを下方に運ぶために、引くための要素５が咥えるための要素７を介して引っ張られる。弾性ケーブル３間の空きスペース４は、正確にリンゴ１つだけのためのスペースが存在するような高さのスペースである。個々のリンゴの位置は、観察用開口部８を介して確認することができ、これにより充填プロセスが容易になる。観察用の窓の位置に応じて、引くための要素５および弾性ケーブル３への容易なアクセスも可能にし得、それにより、動物の飼育者は、例えば部分のサイズを変更したい場合、必要に応じて、個々のケーブル３および引くための要素５を挿入または除去することができる。
【００１７】
動物が装置で遊び始めるとすぐに、動物は咥えるための要素７を唇および歯で掴もうとし、これにより引くための要素５を任意の順番で引っ張る。弾性ケーブル３の初期位置を図２に示す。弾性ケーブル３は管１の内部スペースを通って中央に突出しているため、その上方に配置されたリンゴはそれ以上滑り落ちることができない。ここで動物が関連する咥えるための要素７を引っ張ると、咥えるための要素が完全に引き出された場合に、図３のような位置が実現される。これで、下方に配置された空きスペース４にリンゴが既に存在しない場合に、リンゴがさらに移動できる十分なスペースができる。空きスペース４が既に占有されている場合、リンゴは上下に積み重なり、引くためのユニット５が解放されると、弾性ケーブル３はその初期位置に戻り、これにより、その上にあるリンゴをその位置にしっかりと保持する。
【００１８】
装置が損傷しないことを確保するために、または動物が咥えるための要素７をあまりにも強く引っ張った場合に弾性ケーブルが引くための要素５のための開口部６内に引っ張られてそこに捉えられないことを確保するために、開口部６の直径が弾性ケーブル３の厚さよりも小さくされる。
【００１９】
バラ飼料のための本発明による飼料給餌器の代替的な実施形態を図４から図６に示す。管１、および弾性ケーブル３、空きスペース４、引くための要素５、および咥えるための要素７を備えた個々のセクションは、図１から図３までの実施形態のものと同じように構成される。管１の上端では、フレキシブルホース９が管１の内壁に取り付けられる。結果として、充填用開口部２もまた、上からの単純な充填を可能にするために異なって構成される。フレキシブルホースの最も上にあるセクションは幾分拡張されており、飼料供給のための受け入れスペース１１を形成する。
【００２０】
弾性ケーブル３に加えて、隣接要素１０が弾性ケーブル３に平行に配置される。それにより、管１の内部に延びるフレキシブルホース９は、それぞれ個々のセクションにおいて、隣接要素１０とフレキシブルケーブル３との間で締め付けられる。よって、空きスペース４に配置されたフレキシブルホース９のセクションでは、バラ飼料の単位部分が蓄積し得る。引くための要素５を引っ張ることにより、これらの単位部分は段階的に下向きに滴り落ちる。
【００２１】
図５の断面図に示されるように、弾性ケーブル３は、初期位置では隣接要素１０に対して配置され、よって、それらの間に配置されたフレキシブルホース９は締め付けられる。図６に示すように、ここで動物が咥えるための要素７を介して引くための要素５を引っ張り、それにより弾性ケーブル３を横に引っ張る場合、その下方にある空きスペース４にスペースがあれば、上記飼料が下向きに滴り落ちるためのバラ飼料用の通路開口部ができる。
【図１】
2021529553.tif 000003
【図２】
2021529553.tif 000004
【図３】
2021529553.tif 000005
【図４】
2021529553.tif 000006
【図５】
2021529553.tif 000007
【図６】
2021529553.tif 000008
【国際調査報告】
2021529553.tif 000009
2021529553.tif 000010
2021529553.tif 000011
2021529553.tif 000012